(57)【特許請求の範囲】
【請求項１】
オイルの給排により可動部材を動作させてクランクシャフトに対するカムシャフトの相対回転位相を可変とするバルブタイミング可変機構を備えた内燃機関に適用され、前記可動部材を前記カムシャフトに固定すべく同シャフトの端部にねじ締結される円筒状のハウジングと、前記バルブタイミング可変機構に対する前記オイルの給排を行うために前記ハウジング内で軸線方向に移動可能なスプールとを備えるスプール内蔵ボルトにおいて、
前記ハウジングは、前記バルブタイミング可変機構の可動部材を貫通するとともに前記スプールを軸線方向について往復移動可能に収容するスプール摺動部と、そのスプール摺動部よりも同ハウジングの一端側に形成されて前記カムシャフトの端部にねじ締結されるボルト部と、前記スプール摺動部よりも同ハウジングの他端側に形成されて前記ボルト部が前記カムシャフトの端部にねじ締結されたときに同カムシャフトの端面との間に前記可動部材を挟み込んで固定するフランジ部とを備え、
前記ハウジングの内周面における前記スプール摺動部と前記フランジ部との繋がる部分に、前記スプールの外周面に接触し、且つ前記ボルト部の前記カムシャフトの端部へのねじ締結に伴う前記ハウジングの前記カムシャフトの軸線方向についての湾曲に対応して変形するオイルシールが設けられる
ことを特徴とするスプール内蔵ボルト。
【請求項２】
オイルの給排により可動部材を動作させてクランクシャフトに対するカムシャフトの相対回転位相を可変とするバルブタイミング可変機構を備えた内燃機関に適用され、前記可動部材を前記カムシャフトに固定すべく同シャフトの端部にねじ締結される円筒状のハウジングと、前記バルブタイミング可変機構に対する前記オイルの給排を行うために前記ハウジング内で軸線方向に移動可能なスプールとを備えるスプール内蔵ボルトにおいて、
前記ハウジングは、前記バルブタイミング可変機構の可動部材を貫通するとともに前記スプールを軸線方向について往復移動可能に収容するスプール摺動部と、そのスプール摺動部よりも同ハウジングの一端側に形成されて前記カムシャフトの端部にねじ締結されるボルト部と、前記スプール摺動部よりも同ハウジングの他端側に形成されて前記ボルト部が前記カムシャフトの端部にねじ締結されたときに同カムシャフトの端面との間に前記可動部材を挟み込んで固定するフランジ部とを備え、
前記スプールは、その軸線方向について分割された構造とされ、それら分割された部分同士が相対移動可能である
ことを特徴とするスプール内蔵ボルト。
【請求項３】
オイルの給排により可動部材を動作させてクランクシャフトに対するカムシャフトの相対回転位相を可変とするバルブタイミング可変機構を備えた内燃機関に適用され、前記可動部材を前記カムシャフトに固定すべく同シャフトの端部にねじ締結される円筒状のハウジングと、前記バルブタイミング可変機構に対する前記オイルの給排を行うために前記ハウジング内で軸線方向に移動可能なスプールとを備えるスプール内蔵ボルトにおいて、
前記ハウジングは、前記バルブタイミング可変機構の可動部材を貫通するとともに前記スプールを軸線方向について往復移動可能に収容するスプール摺動部と、そのスプール摺動部よりも同ハウジングの一端側に形成されて前記カムシャフトの端部にねじ締結されるボルト部と、前記スプール摺動部よりも同ハウジングの他端側に形成されて前記ボルト部が前記カムシャフトの端部にねじ締結されたときに同カムシャフトの端面との間に前記可動部材を挟み込んで固定するフランジ部とを備え、
前記ハウジングの外周面において、前記フランジ部と前記スプール摺動部とが繋がる部分の隅部にぬすみ加工が施されてなる
ことを特徴とするスプール内蔵ボルト。
【請求項４】
オイルの給排により可動部材を動作させてクランクシャフトに対するカムシャフトの相対回転位相を可変とするバルブタイミング可変機構を備えた内燃機関に適用され、前記可動部材を前記カムシャフトに固定すべく同シャフトの端部にねじ締結される円筒状のハウジングと、前記バルブタイミング可変機構に対する前記オイルの給排を行うために前記ハウジング内で軸線方向に移動可能なスプールとを備えるスプール内蔵ボルトにおいて、
前記ハウジングは、前記バルブタイミング可変機構の可動部材を貫通するとともに前記スプールを軸線方向について往復移動可能に収容するスプール摺動部と、そのスプール摺動部よりも同ハウジングの一端側に形成されて前記カムシャフトの端部にねじ締結されるボルト部と、前記スプール摺動部よりも同ハウジングの他端側に形成されて前記ボルト部が前記カムシャフトの端部にねじ締結されたときに同カムシャフトの端面との間に前記可動部材を挟み込んで固定するフランジ部とを備え、
前記ハウジングの外周面において、前記フランジ部と前記スプール摺動部とが繋がる部分の隅部に前記ハウジングの内部に向けて局所的に凹む除肉部が形成されてなる
ことを特徴とするスプール内蔵ボルト。
【発明の詳細な説明】
【技術分野】
【０００１】
本発明は、スプール内蔵ボルトに関する。
【背景技術】
【０００２】
従来より、自動車等の車両に搭載される内燃機関として、燃費改善や出力向上等を意図して、吸気バルブや排気バルブといった機関バルブのバルブタイミングを可変とするためのバルブタイミング可変機構を設けた内燃機関が知られている。こうした内燃機関では、バルブタイミング可変機構に対するオイルの給排を通じてカムシャフトの端部に固定された同機構の可動部材を動作させ、それによってカムシャフトのクランクシャフトに対する相対回転位相を変更するようにしている。このようにクランクシャフトに対するカムシャフトの相対回転位相を変更することで、内燃機関においてバルブタイミングが可変とされる。
【０００３】
バルブタイミング可変機構に対するオイルの給排は、同機構とオイルポンプと繋ぐ油圧回路に設けられたオイルコントロールバルブの駆動を通じて制御される。このオイルコントロールバルブは、油圧回路におけるオイルポンプ及び排出通路とバルブタイミング可変機構との間におけるオイルの給排の経路を切り換えるための棒状のスプールを備えている。そして、オイルコントロールバルブのスプールを軸線方向についての任意の位置に移動させると、そのスプールによって同バルブに形成された各種ポートのオイルポンプ及び排出通路に対する接続状態が切り換えられるとともに各種ポートの開度調整が行われる。これにより、バルブタイミング可変機構に対するオイルの給排の経路が切り換えられるとともに、同機構へのオイルの供給量及び同機構からのオイルの排出量が調整される。そして、こうしたオイルの給排の経路の切り換えや、オイルの供給量及び排出量の調整を通じて、バルブタイミング可変機構の可動部材が動作してクランクシャフトに対するカムシャフトの相対回転位相が変更される。
【０００４】
ところで、バルブタイミング可変機構においては、同機構を作動させる際の応答性を向上させることや、同機構とオイルコントロールバルブとの間におけるオイルの給排の経路上でのオイル漏れを抑制することが要求されている。こうした要求に応えるためには、油圧回路におけるオイルコントロールバルブとバルブタイミング可変機構との間の部分におけるオイルの給排の経路の長さを短くすることが望ましい。そして、上記経路を短くするための具体的な手法としては、例えば特許文献１に示されるように、バルブタイミング可変機構の可動部材をカムシャフトに固定するためのボルトに対し、オイルコントロールバルブの機能を付加することが考えられる。
【０００５】
同文献における上記ボルトは、カムシャフトの端部にねじ締結されることで上記可動部材をカムシャフトに固定する円筒状のハウジングを備えており、そのハウジング内に上記スプールを軸線方向について往復移動できるように収容した構造となっている。こうしたボルト（以下、スプール内蔵ボルトという）のハウジングには、バルブタイミング可変機構に対しオイルの給排を行うための各種ポートが形成されている。そして、上記ハウジング内のスプールをその軸線方向における任意の位置に移動させることで、そのスプールによってハウジングに形成された各種ポートのオイルポンプ及び排出通路に対する接続状態が切り換えられるとともに各種ポートの開度調整が行われる。これにより、バルブタイミング可変機構における可動部材を動作させるための同機構に対するオイルの給排の経路の切り換え、並びに、そのオイルの供給量及び排出量の調整が行われる。
【先行技術文献】
【特許文献】
【０００６】
【特許文献１】特表２００５−５３００７７公報（段落［００１３］〜［００１５］、図１）
【発明の概要】
【発明が解決しようとする課題】
【０００７】
上記スプール内蔵ボルトを用いれば、オイルコントロールバルブの機能を有する同ボルトとバルブタイミング可変機構との間におけるオイルの給排の経路の長さを短くできるため、同機構を作動させる際の応答性向上や、同機構とオイルコントロールバルブとの間におけるオイルの給排の経路上でのオイル漏れ抑制が可能にはなる。
【０００８】
ただし、上記スプール内蔵ボルト（正確にはハウジング）をカムシャフトの端部にねじ締結してバルブタイミング可変機構の可動部材を同カムシャフトに固定する際には、可動部材の製造誤差や組付誤差、並びに、ハウジングやカムシャフトの製造誤差などに起因して、ハウジングがカムシャフトの軸線方向について湾曲するように変形するおそれがある。更に、ハウジングの上記変形に伴ってスプールが上記軸線方向について湾曲すると、同スプールの軸線方向移動に関して動作不良が生じるおそれがある。
【０００９】
本発明はこのような実情に鑑みてなされたものであって、その目的は、スプールの軸線方向移動に関して動作不良が生じることを抑制できるスプール内蔵ボルトを提供することにある。
【課題を解決するための手段】
【００１０】
上記目的を達成するため、請求項１〜４に記載の発明によれば、スプール内蔵ボルトの円筒状のハウジングは、バルブタイミング可変機構の可動部材をカムシャフトに固定すべく、同カムシャフトの端部にねじ締結される。また、スプール内蔵ボルトのハウジングの内部には、バルブタイミング可変機構に対するオイルの給排を制御するためのスプールが軸線方向に移動可能に設けられる。そして、上記スプールをその軸線方向における任意の位置に移動させてハウジングに形成された各種ポートの開閉及び開度調整を行うことで、バルブタイミング可変機構における可動部材を動作させるための同機構に対するオイルの給排が行われる。
【００１２】
また、請求項１〜４に記載の発明によれば、スプール内蔵ボルトのハウジングにおけるスプール摺動部がバルブタイミング可変機構の可動部材を貫通した状態で、同ハウジングのボルト部をカムシャフトの端部にねじ締結することにより、上記可動部材がカムシャフトの端面と同ハウジングのフランジ部との間に挟まれた状態で同カムシャフトに固定される。また、上記ハウジングのスプール摺動部には、バルブタイミング可変機構に対するオイルの給排を制御するためのスプールが軸線方向について往復移動可能に収容される。
【００１３】
ここで、可動部材がカムシャフトの端面とハウジングのフランジ部との間に挟まれた状態で固定されるとき、フランジ部とカムシャフトの端面との間において互いに接触する各接触面の平面度及び平行度が悪いと、カムシャフトの軸線に対しフランジ部が傾斜した状態となるように同ハウジングが上記軸線方向について湾曲する。なお、上記各接触面の平面度及び平行度の悪化は、可動部材、カムシャフト、及びフランジ部の製造誤差等によって生じる。上述したハウジングの上記軸線方向についての湾曲により、スプール摺動部及びスプールも上記軸線方向について湾曲すると、スプールの軸線方向移動に関して動作不良が生じるおそれがある。
【００１５】
また、ハウジングのボルト部がカムシャフトの端部にねじ締結されて可動部材がカムシャフトに固定されるとき、可動部材におけるスプール摺動部が貫通する孔の中心線とハウジングの軸線との間にカムシャフトの軸線と直交する方向についてのずれが生じていると、その孔の内周面によりスプール摺動部の外周面が押されるようになる。その結果、カムシャフトの軸線に対しスプール摺動部が傾斜した状態となるよう、同ハウジングが上記軸線方向について湾曲する。なお、上記孔の中心線と上記ハウジングの軸線との間のずれは、スプール摺動部の製造誤差による同スプール摺動部の外周面の真円度の悪化、可動部材の製造誤差による上記孔の内周面の真円度の悪化、及び可動部材のカムシャフトに対する組付誤差等によって生じる。また、上記ずれは、ハウジングにおけるボルト部とスプール摺動部との同軸度の悪化、すなわち両者の軸線がカムシャフトの軸線と直交する方向にずれることによっても生じる。上述したハウジングの上記軸線方向についての湾曲により、スプール摺動部内に収容されたスプールが上記軸線方向について湾曲すると、スプールの軸線方向移動に関して動作不良が生じるおそれがある。
【００１８】
請求項１に記載の発明によれば、ボルト部がカムシャフトの端部にねじ締結されるとき、フランジ部とカムシャフトの端面との間における各接触面の平面度及び平行度が悪いこと、及び、可動部材におけるスプール摺動部が貫通する孔の中心線とハウジングの軸線との間のずれ等々、に起因するスプールの動作不良が、次のように防止される。すなわち、ハウジングの内周面におけるスプール摺動部とフランジ部との繋がる部分に、スプールの外周面に接触し、且つボルト部のカムシャフトの端部へのねじ締結に伴うハウジングのカムシャフトの軸線方向についての湾曲に対応して変形するオイルシールが設けられる。この場合、カムシャフトの端部へボルト部のねじ締結によりハウジングが上記軸線方向について湾曲したとき、同湾曲に対応する分だけオイルシールが変形し、その変形を通じて上記ハウジングの湾曲がスプールに影響を及ぼすことが防止される。従って、カムシャフトの端部へのボルト部のねじ締結によりハウジングが上記軸線方向について湾曲するとしても、そのときにスプールが上記軸線方向について湾曲することは防止され、その湾曲に起因してスプールの軸線方向移動に関して動作不良が生じることは抑制される。
【００１９】
請求項２に記載の発明によれば、ボルト部がカムシャフトの端部にねじ締結されるとき、フランジ部とカムシャフトの端面との間における各接触面の平面度及び平行度が悪いこと、及び、可動部材におけるスプール摺動部が貫通する孔の中心線とハウジングの軸線との間のずれ等々、に起因するスプールの動作不良が、次のように防止される。すなわち、スプールをその軸線方向について分割された構造とするとともに、それら分割された部分同士が相対移動可能とされる。この場合、カムシャフトの端部へボルト部のねじ締結によりハウジングが軸線方向について湾曲したとき、同湾曲に対応する分だけスプールにおける分割された部分同士が互いに接触しつつ同スプールの軸線と直交する方向に相対移動する。こうした相対移動が行われることにより、上記ハウジングの軸線方向についての湾曲が、スプールに影響を及ぼすこと、より詳しくはスプールの軸線方向移動に影響を及ぼすことはなくなる。従って、カムシャフトの端部へボルト部のねじ締結によりハウジングが軸線方向について湾曲するとしても、スプールの軸線方向移動に関する動作不良が生じることは抑制される。
請求項３に記載の発明によれば、ボルト部がカムシャフトの端部にねじ締結されるとき、フランジ部とカムシャフトの端面との間における各接触面の平面度及び平行度が悪いことに起因するスプールの動作不良が、次のように防止される。すなわち、ハウジングの外周面において、フランジ部とスプール摺動部とが繋がる部分の隅部にぬすみ加工が施されてなる。このように隅部にぬすみ加工が施されると、ハウジングにおいて上記隅部で他の部位よりも屈曲が生じやすくなる。このため、フランジ部がカムシャフトの軸線に対し傾斜した状態となるように同ハウジングが上記軸線方向について湾曲しようとしたとき、上記隅部にてフランジ部がスプール摺動部に対し屈曲するようになり、その屈曲によってスプール摺動部での上記軸線方向についての湾曲が防止されることとなる。このようにスプール摺動部での軸線方向についての湾曲が防止されるため、スプールの上記軸線方向についての湾曲も防止され、その湾曲に起因してスプールの軸線方向移動に関して動作不良が生じることは抑制される。
請求項４に記載の発明によれば、ボルト部がカムシャフトの端部にねじ締結されるとき、フランジ部とカムシャフトの端面との間における各接触面の平面度及び平行度が悪いことに起因するスプールの動作不良が、次のように防止される。すなわち、ハウジングの外周面において、フランジ部とスプール摺動部とが繋がる部分の隅部にハウジングの内部に向けて局所的に凹む除肉部が形成されてなる。このように隅部にハウジングの内部に向けて局所的に凹む除肉部が形成されると、ハウジングにおいて上記除肉部で他の部位よりも屈曲が生じやすくなる。このため、フランジ部がカムシャフトの軸線に対し傾斜した状態となるように同ハウジングが上記軸線方向について湾曲しようとしたとき、上記除肉部にてフランジ部がスプール摺動部に対し屈曲するようになり、その屈曲によってスプール摺動部での上記軸線方向についての湾曲が防止されることとなる。このようにスプール摺動部での軸線方向についての湾曲が防止されるため、スプールの上記軸線方向についての湾曲も防止され、その湾曲に起因してスプールの軸線方向移動に関して動作不良が生じることは抑制される。
【図面の簡単な説明】
【００２０】
【図１】第１実施形態のスプール内蔵ボルトが適用されるバルブタイミング可変機構、及び同機構を動作させるための油圧回路を示す略図。
【図２】バルブタイミング可変機構の可動部材を上記スプール内蔵ボルトによって固定した状態を示す断面図。
【図３】スプール内蔵ボルトによる可動部材の固定態様を示す略図。
【図４】スプール内蔵ボルトによる可動部材の固定態様を示す略図。
【図５】スプール内蔵ボルトによる可動部材の固定態様を示す略図。
【図６】スプール内蔵ボルトによる可動部材の固定態様を示す略図。
【図７】第２実施形態のスプール内蔵ボルトを示す略図。
【図８】上記スプール内蔵ボルトでの可動部材の固定態様を示す略図。
【図９】第３実施形態のスプール内蔵ボルトを示す断面図。
【図１０】（ａ）はスプール内蔵ボルトにおけるハウジングの変形態様を示す略図であり、（ｂ）はスプール内蔵ボルトにおけるハウジング及びオイルシールの変形態様を示す略図。
【図１１】第４実施形態のスプール内蔵ボルトを示す断面図。
【図１２】同スプール内蔵ボルトを示す断面図。
【発明を実施するための形態】
【００２１】
［第１実施形態］
以下、本発明を内燃機関のバルブタイミング可変機構に適用した第１実施形態を図１〜図６に従って説明する。
【００２２】
図１に示されるように、バルブタイミング可変機構１は、内燃機関のカムシャフト２（例えば吸気カムシャフト）に対しボルトにより固定された可動部材３と、カムシャフト２と同一軸線上に上記可動部材３を囲むように設けられて内燃機関のクランクシャフトの回転が伝達されるケース４とを備えている。このケース４の内周面には、カムシャフト２の軸線に向かって突出する突部５が周方向について所定の間隔をおいて複数形成されている。また、可動部材３の外周面には、カムシャフト２の軸線から離れる方向に突出する複数のベーン６がそれぞれ上記各突部５の間に位置するように形成されている。これにより、ケース４内における各突部５の間に位置する部分が、ベーン６により進角側油圧室７と遅角側油圧室８とに区画されている。
【００２３】
そして、進角側油圧室７にオイルを供給するとともに遅角側油圧室８からオイルを排出すると、可動部材３がケース４に対し図中の右回転方向に相対回転してカムシャフト２のクランクシャフトに対する相対回転位相が進角側に変化し、それによって内燃機関の機関バルブ（この例では吸気バルブ）のバルブタイミングが進角側に変化する。また、遅角側油圧室８にオイルを供給するとともに進角側油圧室７からオイルを排出すると、可動部材３がケース４に対し図中左回転方向に相対回転してカムシャフト２のクランクシャフトに対する相対回転位相が遅角側に変化し、それによって内燃機関の機関バルブのバルブタイミングが遅角側に変化する。
【００２４】
バルブタイミング可変機構１の進角側油圧室７及び遅角側油圧室８に対するオイルの給排に関しては、同機構１とオイルポンプ９とを繋ぐ油圧回路にオイルコントロールバルブを設け、そのバルブの駆動を通じて制御することが考えられる。この実施形態では、バルブタイミング可変機構１を作動させる際の応答性向上や、同機構１とオイルコントロールバルブとの間のオイル経路上でのオイル漏れ抑制を意図して、上記可動部材３をカムシャフト２に固定するためのボルトとして、同固定の機能だけでなく上記オイルコントロールバルブの機能も有するスプール内蔵ボルト１０が用いられる。このスプール内蔵ボルト１０は、オイルポンプ９に対し供給通路１１を介して接続されるとともに、そのオイルポンプ９により汲み上げられるオイルを貯留するためのオイルパン１２に対し排出通路１３を介して接続されている。また、スプール内蔵ボルト１０は、バルブタイミング可変機構１の進角側油圧室７に対し進角側油路１４を介して接続されるとともに、同機構１の遅角側油圧室８に対し遅角側油路１５を介して接続されている。
【００２５】
スプール内蔵ボルト１０は、上記可動部材３をカムシャフト２に固定するために同カムシャフト２の端部にねじ締結される円筒状のハウジング１６と、バルブタイミング可変機構１の進角側油圧室７及び遅角側油圧室８に対するオイルの給排を行うべくハウジング１６内を軸線方向に移動可能な棒状のスプール１７とを備えている。上記ハウジング１６は、進角側油路１４に繋がる第１ポート１８と、遅角側油路１５に繋がる第２ポート１９とを備えている。上記スプール１７は、その軸線方向についての位置調整を通じて、第１ポート１８及び第２ポート１９と供給通路１１及び排出通路１３との接続状態を切り換えるとともに、それら第１ポート１８及び第２ポート１９の開度調整を行うものである。
【００２６】
スプール１７の軸線方向についての移動は、ハウジング１６内に設けられて同スプール１７を軸線方向に付勢することの可能なコイルスプリング２０と、そのコイルスプリング２０の付勢力に抗してスプール１７を押圧するアクチュエータ２１とによって実現される。すなわち、アクチュエータ２１のスプール１７に対する押圧力を調整すると、その押圧力とコイルスプリング２０の付勢力とが釣り合うようスプール１７が軸線方向に移動し、それによってスプール１７の軸線方向についての位置が調整される。そして、スプール１７をその軸線方向における任意の位置に移動させることで、そのスプール１７によってハウジング１６に形成された第１ポート１８及び第２ポート１９の供給通路１１及び排出通路１３に対する接続状態が切り換えられるとともに、それら第１ポート１８及び第２ポート１９の開度調整が行われる。
【００２７】
より詳しくは、アクチュエータ２１の押圧力を大きくしてスプール１７を図中右側に変位させると、第１ポート１８が供給通路１１に接続されるとともに第２ポート１９が排出通路１３に接続され、それによってバルブタイミング可変機構１において進角側油圧室７にオイルが供給されるとともに遅角側油圧室８からオイルが排出される。その結果、同機構１の可動部材３がケース４に対し図中右回転方向に相対回転して内燃機関のバルブタイミングが進角側に変化する。また、このときにスプール１７の軸線方向についての位置を微調整すれば、第１ポート１８及び第２ポート１９の開度が調整され、それによって進角側油圧室７へのオイル供給量及び遅角側油圧室８からのオイル排出量が微調整される。こうしたオイル供給量及びオイル排出量の微調整により、内燃機関のバルブタイミングが進角側の任意のタイミングとなるよう、可動部材３のケース４に対する相対回転位置を定めることが可能になる。
【００２８】
一方、アクチュエータ２１の押圧力を小さくしてスプール１７を図中左側に変位させると、第１ポート１８が排出通路１３に接続されるとともに第２ポート１９が供給通路１１に接続され、それによってバルブタイミング可変機構１に遅角側油圧室８にオイルが供給されるとともに進角側油圧室７からオイルが排出される。その結果、同機構１の可動部材３がケース４に対し図中左回転方向に相対回転して内燃機関のバルブタイミングが遅角側に変化する。また、このときにスプール１７の軸線方向についての位置を微調整すれば、第１ポート１８及び第２ポート１９の開度が調整され、それによって遅角側油圧室８へのオイル供給量及び進角側油圧室７からのオイル排出量が微調整される。こうしたオイル供給量及びオイル排出量の微調整により、内燃機関のバルブタイミングが遅角側の任意のタイミングとなるよう、可動部材３のケース４に対する相対回転位置を定めることが可能になる。
【００２９】
次に、上記スプール内蔵ボルト１０を用いた可動部材３のカムシャフト２への固定について、図２を参照して詳しく説明する。
スプール内蔵ボルト１０のハウジング１６は、図２に示されるように、バルブタイミング可変機構１の可動部材３を貫通するとともにスプール１７を軸線方向について往復移動可能に収容するスプール摺動部１６ｂを備えている。ハウジング１６において、上記スプール摺動部１６ｂよりも同ハウジング１６の一端側（図中右側）には、カムシャフト２の端部にねじ締結されるボルト部１６ａが形成されている。また、ハウジング１６において、上記スプール摺動部１６ｂよりも同ハウジング１６の他端側（図中左側）には、ボルト部１６ａがカムシャフト２の端部にねじ締結されたときに同カムシャフト２の端面との間に可動部材３を挟み込んで固定するフランジ部１６ｃが形成されている。上記ボルト部１６ａにおけるスプール摺動部１６ｂと繋がる部分には、その部分を除肉した状態とする除肉部２３が形成されている。また、上記フランジ部１６ｃにおけるスプール摺動部１６ｂと繋がる部分にも、その部分を除肉した状態とする除肉部２２が形成されている。
【００３０】
スプール内蔵ボルト１０のボルト部１６ａがカムシャフト２の端部にねじ締結された状態にあって、そのカムシャフト２の端面とスプール内蔵ボルト１０のフランジ部１６ｃとの間には、上記可動部材３の他にフロントブッシュ２４、リヤブッシュ２５、及び支持体２６が設けられている。これらフロントブッシュ２４、リヤブッシュ２５、及び支持体２６のうち、フロントブッシュ２４は可動部材３とフランジ部１６ｃとの間に設けられており、リヤブッシュ２５及び支持体２６は可動部材３とカムシャフト２の端面との間に設けられている。そして、可動部材３、フロントブッシュ２４、リヤブッシュ２５、及び支持体２６にはそれぞれ孔３ａ，２４ａ，２５ａ，２６ａが形成されており、それら孔３ａ，２４ａ，２５ａ，２６ａをスプール内蔵ボルト１０のスプール摺動部１６ｂが貫通している。上記可動部材３、フロントブッシュ２４、リヤブッシュ２５、及び支持体２６は、スプール内蔵ボルト１０のボルト部１６ａがカムシャフト２の端部にねじ締結されたとき、そのカムシャフト２の端面とスプール内蔵ボルト１０のフランジ部１６ｃとの間に挟み込まれる。この状態にあって、上記可動部材３、フロントブッシュ２４、リヤブッシュ２５、及び支持体２６は、カムシャフト２に対し一体回転可能に固定されるとともに、カムシャフト２の軸線方向について固定される。
【００３１】
上記支持体２６は、内燃機関のクランクシャフトからの回転伝達を受けるスプロケット２７をカムシャフト２に対し相対回転できるよう支持している。また、上記スプロケット２７にはバルブタイミング可変機構１のケース４が固定されている。そして、内燃機関のクランクシャフトの回転がスプロケット２７に伝達されると、同スプロケット２７及びケース４がカムシャフト２の軸線を中心に回転する。こうしたスプロケット２７及びケース４の回転は、そのケース４内のオイルを介して可動部材３に伝達され、その後にカムシャフト２に伝達されるようになる。従って、バルブタイミング可変機構１の可動部材３をケース４に対し相対回転させると、クランクシャフトに対するカムシャフト２の相対回転位相が変化し、その変化に対応して内燃機関のバルブタイミングが変化する。
【００３２】
ところで、スプール内蔵ボルト１０（正確にはハウジング１６のボルト部１６ａ）をカムシャフト２の端部にねじ締結してバルブタイミング可変機構１の可動部材３を同カムシャフト２に固定する際には、次のような問題が生じる可能性がある。すなわち、可動部材３、フロントブッシュ２４、リヤブッシュ２５、及び支持体２６の製造誤差や組付誤差、並びに、ハウジング１６やカムシャフト２の製造誤差などに起因して、スプール内蔵ボルト１０のハウジング１６がカムシャフト２の軸線方向について湾曲するように変形するおそれがある。更に、ハウジング１６の上記変形に伴ってスプール１７が軸線方向について湾曲すると、同スプール１７の軸線方向移動に関して動作不良が生じるおそれがある。こうした問題に対処するため、本実施形態のスプール内蔵ボルト１０は、ハウジング１６が上述したように変形するとき、それに起因するスプール１７の軸線方向移動の阻害が生じないよう変位する変位構造を備える。このため、上記ハウジング１６の変形に伴いスプール１７の軸線方向移動に関しての動作不良が生じることは抑制される。
【００３３】
次に、上述した問題の発生原因の詳細について、及び、その問題に対処するための上記変位構造の詳細について説明する。
可動部材３がカムシャフト２の端面とハウジング１６のフランジ部１６ｃとの間に挟まれた状態で固定されるとき、フランジ部１６ｃとカムシャフト２の端面との間においては、可動部材３、フロントブッシュ２４、リヤブッシュ２５、及び支持体２６といった各部材が互いに接触する。これら可動部材３、フロントブッシュ２４、リヤブッシュ２５、及び支持体２６といった各部材の接触面においては、それら各部材の製造誤差等に起因して、上記接触面の平面度が悪化するとともに同接触面同士の平行度が悪化する。このように上記各部材における接触面の平面度、及び同接触面同士の平行度が悪い場合には、図３に模式的に示されるように、フランジ部１６ｃがカムシャフト２の軸線Ｌに対し傾斜した状態となるよう、ハウジング１６がカムシャフト２の軸線方向について湾曲する。同ハウジング１６の上記軸線方向についての湾曲により、スプール摺動部１６ｂ及びスプール１７も上記軸線方向について湾曲すると、スプール１７の軸線方向移動に関して動作不良が生じるおそれがある。
【００３４】
こうした問題に対処するための上記変位構造として、本実施形態では、図４に示されるように、フランジ部１６ｃにおけるスプール摺動部１６ｂと繋がる部分に、その部分を除肉した状態に形成される除肉部２２が設けられている。このようにフランジ部１６ｃに除肉部２２を設けると、ハウジング１６において上記除肉部２２で他の部位よりも屈曲が生じやすくなる。このため、図３に示されるように、フランジ部１６ｃがカムシャフト２の軸線Ｌに対し傾斜した状態となるように同ハウジング１６が上記軸線方向について湾曲しようとしたとき、上記除肉部２２にてフランジ部１６ｃがスプール摺動部１６ｂに対し図４に模式的に示されるように屈曲する。こうした屈曲により、スプール摺動部１６ｂでの上記軸線方向についての湾曲が防止される。そして、このようにスプール摺動部１６ｂでの上記軸線方向についての湾曲が防止されるため、スプール１７の上記軸線方向についての湾曲も防止され、その湾曲に起因してスプール１７の軸線方向移動に関して動作不良が生じることは抑制される。
【００３５】
また、図５に示されるように、ハウジング１６のボルト部１６ａがカムシャフト２の端部にねじ締結されて可動部材３がカムシャフト２に固定されるときには、スプール摺動部１６ｂが可動部材３、フロントブッシュ２４、リヤブッシュ２５、及び支持体２６といった各部材にそれぞれ形成された孔３ａ，２４ａ，２５ａ，２６ａを貫通する。これら孔３ａ，２４ａ，２５ａ，２６ａの中心線は、ボルト部１６ａをカムシャフト２の端部にねじ締結したハウジング１６におけるスプール摺動部１６ｂの軸線に対し、カムシャフト２の軸線Ｌと直交する方向にずれることがある。こうしたずれは、スプール摺動部１６ｂの製造誤差による同スプール摺動部１６ｂの外周面の真円度の悪化、上記各部材（可動部材３、フロントブッシュ２４、リヤブッシュ２５、及び支持体２６等）の製造誤差による上記孔３ａ，２４ａ，２５ａ，２６ａの内周面の真円度の悪化、及び上記各部材のカムシャフト２に対する組付誤差等によって生じる。更に、上記ずれは、ボルト部１６ａとスプール摺動部１６ｂとの同軸度の悪化、すなわち両者の軸線がカムシャフト２の軸線Ｌと直交する方向にずれることによっても生じる。そして、孔３ａ，２４ａ，２５ａ，２６ａの中心線と、スプール摺動部１６ｂの軸線との間に上述したずれが生じていると、孔３ａ，２４ａ，２５ａ，２６ａの内周面によってスプール摺動部１６ｂの外周面が押されるようになる。その結果、カムシャフト２の軸線Ｌに対しスプール摺動部１６ｂが傾斜した状態となるよう、同ハウジング１６が上記軸線方向について湾曲する。こうしたハウジング１６の上記軸線方向についての湾曲により、スプール摺動部１６ｂも上記軸線方向について湾曲すると、スプール１７の軸線方向移動に関して動作不良が生じるおそれがある。
【００３６】
こうした問題に対処するための上記変位構造として、本実施形態では、図６に示されるように、ボルト部１６ａにおけるスプール摺動部１６ｂと繋がる部分に、その部分を除肉した状態に形成される除肉部２３が設けられている。このようにボルト部１６ａに除肉部２３を設けると、ハウジング１６において上記除肉部２３でボルト部１６ａとスプール摺動部１６ｂとがカムシャフト２の軸線Ｌと直交する方向に相対移動するように変形しやすくなる。このため、上述したように孔３ａ等の内周面によりスプール摺動部１６ｂの外周面が押されたとき、ボルト部１６ａとスプール摺動部１６ｂとが上記軸線Ｌと直交する方向に相対移動するように上記除肉部２３での変形が生じる。こうした除肉部２３での変形を通じてハウジング１６の上記軸線方向についての湾曲が防止され、ひいてはスプール摺動部１６ｂでの上記軸線方向についての湾曲が防止される。更に、スプール摺動部１６ｂでの上記軸線方向についての湾曲に伴うスプール１７の上記軸線方向についての湾曲も防止され、その湾曲に起因してスプール１７の軸線方向移動に関して動作不良が生じることは抑制される。
【００３７】
以上詳述した本実施形態によれば、以下に示す効果が得られるようになる。
（１）スプール内蔵ボルト１０（ハウジング１６のボルト部１６ａ）をカムシャフト２の端部にねじ締結してバルブタイミング可変機構１の可動部材３を同カムシャフト２に固定する際、スプール内蔵ボルト１０のハウジング１６がカムシャフト２の軸線方向について湾曲するように変形するおそれがある。こうしたハウジング１６の変形（湾曲）は、可動部材３、フロントブッシュ２４、リヤブッシュ２５、及び支持体２６の製造誤差や組付誤差、並びに、ハウジング１６やカムシャフト２の製造誤差などに起因して生じる。上述したハウジング１６の上記変形に起因する問題に対処するため、スプール内蔵ボルト１０は、ハウジング１６が上述したように変形するとき、それに起因するスプール１７の軸線方向移動の阻害が生じないよう変位する変位構造を備える。従って、ハウジング１６の上記変形に伴ってスプール１７が軸線方向について湾曲することを抑制し、ひいてはスプール１７の上記湾曲に起因する同スプール１７の軸線方向移動に関しての動作不良を抑制することができる。
【００３８】
（２）上記変位構造として、スプール内蔵ボルト１０のフランジ部１６ｃにおけるスプール摺動部１６ｂと繋がる部分には、その部分を除肉した状態に形成される除肉部２２が設けられている。このため、スプール内蔵ボルト１０のハウジング１６においては、上記除肉部２２で他の部位よりも屈曲が生じやすくなる。
【００３９】
ここで、スプール内蔵ボルト１０により可動部材３がカムシャフト２の端面に固定されるときには、フランジ部１６ｃとカムシャフト２の端面との間において、可動部材３、フロントブッシュ２４、リヤブッシュ２５、及び支持体２６といった各部材が互いに接触した状態となる。これら各部材における接触面の平面度、及び同接触面同士の平行度が悪いと、フランジ部１６ｃがカムシャフト２の軸線Ｌに対し傾斜した状態となるよう、ハウジング１６がカムシャフト２の軸線方向について湾曲するおそれがある。
【００４０】
しかし、スプール内蔵ボルト１０のフランジ部１６ｃには上記除肉部２２が設けられているため、ハウジング１６が上述したように湾曲しようとしたとしても、上記除肉部２２にてフランジ部１６ｃがスプール摺動部１６ｂに対し屈曲し、それによってスプール摺動部１６ｂでの上記軸線方向についての湾曲は防止される。このようにスプール摺動部１６ｂでの上記軸線方向についての湾曲が防止されるため、同スプール摺動部１６ｂに収容されたスプール１７の上記軸線方向についての湾曲も防止され、その湾曲に起因してスプール１７の軸線方向移動に関して動作不良が生じることは抑制されるようになる。
【００４１】
（３）更に、上記変位構造として、スプール内蔵ボルト１０のボルト部１６ａにおけるスプール摺動部１６ｂと繋がる部分に、その部分を除肉した状態に形成される除肉部２３も設けられている。このため、スプール内蔵ボルト１０のハウジング１６においては、上記除肉部２３でボルト部１６ａとスプール摺動部１６ｂとがカムシャフト２の軸線Ｌと直交する方向に相対移動するように変形しやすくなる。
【００４２】
ここで、スプール内蔵ボルト１０により可動部材３がカムシャフト２の端面に固定されるときには、スプール摺動部１６ｂが可動部材３、フロントブッシュ２４、リヤブッシュ２５、及び支持体２６といった各部材の孔３ａ，２４ａ，２５ａ，２６ａを貫通する。これら孔３ａ，２４ａ，２５ａ，２６ａの中心線は、スプール摺動部１６ｂの軸線に対し、カムシャフト２の軸線Ｌと直交する方向にずれることがあり、同ずれが生じたときにはスプール摺動部１６ｂの外周面が孔３ａ，２４ａ，２５ａ，２６ａの内周面に押されるようになる。その結果、カムシャフト２の軸線Ｌに対しスプール摺動部１６ｂが傾斜した状態となるよう、同ハウジング１６が上記軸線方向について湾曲するおそれがある。
【００４３】
しかし、スプール内蔵ボルト１０のボルト部１６ａには上記除肉部２３が設けられているため、スプール摺動部１６ｂの外周面が上述したように孔３ａ等の内周面により押されたとき、ボルト部１６ａとスプール摺動部１６ｂとが上記軸線Ｌと直交する方向に相対移動するように上記除肉部２３での変形が生じる。こうした除肉部２３での変形を通じてハウジング１６における上記軸線方向についての湾曲が防止され、ひいてはスプール１７を収容したスプール摺動部１６ｂでの上記軸線方向についての湾曲が防止されるため、そのスプール１７の湾曲に起因して同スプール１７の軸線方向移動に関して動作不良が生じることは抑制されるようになる。
【００４４】
［第２実施形態］
次に、本発明の第２実施形態を図７及び図８に基づき説明する。
この実施形態のスプール内蔵ボルト１０では、第１実施形態のような除肉部２２（図４）を設けることで上記変位機構を実現する代わりに、図７に示されるようにフランジ部１６ｃにおけるスプール摺動部１６ｂ側の面に変形部材３１を設けることによって上記変位機構を実現している。
【００４５】
この変形部材３１としては、例えば、銅などの弾性を有する材料により円環状に形成されたブッシュを採用することが可能である。そして、スプール内蔵ボルト１０によって可動部材３等をカムシャフト２に固定する際には、スプール摺動部１６ｂが上記変形部材３１を貫通した状態のもとでボルト部１６ａがカムシャフト２の端部にねじ締結される。従って、スプール内蔵ボルト１０によって可動部材３等をカムシャフト２に固定すると、変形部材３１がフランジ部１６ｃと可動部材３（正確にはフロントブッシュ２４）との間に挟み込まれた状態となる。
【００４６】
ここで、上記スプール内蔵ボルト１０のフランジ部１６ｃとカムシャフト２の端面との間においては、可動部材３、フロントブッシュ２４、リヤブッシュ２５、及び支持体２６といった各部材が互いに接触する。これら各部材の接触面の平面度、及び同接触面同士の平行度が悪いと、例えば図３に示されるように、フランジ部１６ｃがカムシャフト２の軸線Ｌに対し傾斜した状態となるよう、ハウジング１６がカムシャフト２の軸線方向について湾曲するおそれがある。
【００４７】
しかし、スプール内蔵ボルト１０のフランジ部１６ｃにおけるスプール摺動部１６ｂ側の面には、図７に示されるように上記変形部材３１が変形機構として設けられている。この変形部材３１は、上記スプール内蔵ボルト１０におけるボルト部１６ａのカムシャフト２の端部へのねじ締結に基づきフランジ部１６ｃと可動部材３（正確にはフロントブッシュ２４）との間に挟まれたとき、図８に示されるようにフランジ部１６ｃとフロントブッシュ２４の対向面の形状に応じて変形する。これにより、上述したハウジング１６のカムシャフト２の軸線方向についての湾曲が防止される。
【００４８】
本実施形態によれば、第１実施形態の（１）の効果に加え、以下に示す効果が得られるようになる。
（４）可動部材３をカムシャフト２に固定すべく、スプール内蔵ボルト１０のボルト部１６ａがカムシャフト２の端部にねじ締結されると、フランジ部１６ｃがカムシャフト２の軸線Ｌに対し傾斜した状態となるように同ハウジング１６がカムシャフト２の軸線方向について湾曲しようとする。このとき、フランジ部１６ｃと可動部材３（フロントブッシュ２４）との間に位置する変形部材３１は、上記フランジ部１６ｃに押されて変形し、その変形を通じて上述したハウジング１６の上記軸線方向についての湾曲が防止される。このようにハウジング１６での上記軸線方向についての湾曲が防止されるため、スプール１７の上記軸線方向についての湾曲も防止され、その湾曲に起因してスプール１７の軸線方向移動に関して動作不良が生じることは抑制されるようになる。
【００４９】
［第３実施形態］
次に、本発明の第３実施形態を図９及び図１０に基づき説明する。
この実施形態のスプール内蔵ボルト１０では、第１実施形態のような除肉部２２，２３（図２）を設けることで上記変位機構を実現する代わりに、図９に示されるようにハウジング１６の内周面におけるスプール摺動部１６ｂとフランジ部１６ｃとの繋がる部分に、樹脂等からなるオイルシール３２を設けることによって上記変位機構を実現している。このオイルシール３２は円環状に形成されており、そのオイルシール３２をハウジング１６内のスプール１７が貫通した状態となっている。そして、上記オイルシール３２によってスプール１７の外周面とハウジング１６の内周面との間のシールが行われている。
【００５０】
上記オイルシール３２は、上記スプール１７の外周面に接触しており、且つボルト部１６ａのカムシャフト２（図２）の端部へのねじ締結に伴うハウジング１６の同カムシャフト２の軸線方向についての湾曲に対応して変形する。ここで、仮にハウジング１６の内周面におけるスプール摺動部１６ｂとフランジ部１６ｃとの繋がる部分に上記オイルシール３２を設けず、図１０（ａ）に示されるように上記部分をスプール１７の外周面に接触させた場合、その部分がハウジング１６の上記軸線方向についての湾曲に伴い図中に二点鎖線で示されるように変位する。こうしたハウジング１６の内周面における上記部分の変位に伴い、スプール１７が湾曲したり上記部分に対するスプール１７の引っかかりが生じたりして、同スプール１７の軸線方向移動に関する作動不良が生じるおそれがある。
【００５１】
しかし、図９に示されるように上記オイルシール３２を設けると、ハウジング１６の上記軸線方向についての湾曲によりハウジング１６の内周面におけるスプール摺動部１６ｂとフランジ部１６ｃとの繋がる部分が図１０（ｂ）に二点鎖線で示されるように変位したとき、その変位に対応する分だけオイルシール３２が変形する。すなわち、こうしたオイルシール３２の変形が実現可能となるよう、同オイルシール３２の径方向についての厚さ、及びハウジング１６におけるオイルシール３２の取り付けられる部分の内径等が設定されている。上記オイルシール３２の変形を通じて、上記ハウジング１６の湾曲がスプール１７に影響を及ぼすことが防止され、ひいてはスプール１７が上記軸線方向について湾曲することや、同スプール１７の上記部分での引っかかりが生じることが防止される。
【００５２】
本実施形態によれば、第１実施形態の（１）の効果に加え、以下に示す効果が得られるようになる。
（５）可動部材３をカムシャフト２に固定するためのスプール内蔵ボルト１０のボルト部１６ａのカムシャフト２の端部へのねじ締結に伴い、ハウジング１６がカムシャフト２の軸線方向について湾曲するとき、同湾曲に対応する分だけオイルシール３２が変形する。こうしたオイルシール３２の変形を通じて、上記ハウジング１６の湾曲がスプール１７に影響を及ぼすことが防止される。このため、カムシャフト２の端部へボルト部１６ａのねじ締結によりハウジング１６が上記軸線方向について湾曲するとしても、そのときにスプール１７が上記軸線方向について湾曲することは防止される。また、上記ハウジング１６の湾曲に伴い、ハウジング１６の内周面におけるフランジ部１６ｃとスプール摺動部１６ｂと繋がる部分に対するスプール１７の引っかかりが生じることも防止される。従って、上記スプール１７の湾曲や引っかかりにより同スプール１７の軸線方向移動に関して動作不良が生じることは抑制されるようになる。
【００５３】
（６）ハウジング１６がカムシャフト２の軸線方向に湾曲するとき、スプール１７ではボルト部１６ａから離れた位置ほど、上記湾曲によるスプール１７への影響が大きくなりやすい。このことを考慮して、ハウジング１６の内周面におけるスプール摺動部１６ｂとフランジ部１６ｃとの繋がる部分、言い換えればボルト部１６ａから離れた部分に上記オイルシール３２が設けられる。このため、ハウジング１６が上記軸線方向に湾曲するとしても、その湾曲に伴うスプール１７への影響を上記オイルシール３２の変形によって的確に抑制できる。
【００５４】
［第４実施形態］
次に、本発明の第４実施形態を図１１及び図１２に基づき説明する。
この実施形態のスプール内蔵ボルト１０では、第１実施形態のような除肉部２２，２３（図２）を設けることで上記変位機構を実現する代わりに、図１１に示されるようにスプール１７をその軸線方向について分割された構造とすることによって実現している。詳しくは、スプール１７は、その軸線方向の左側に位置する第１分割体１７ａと同軸線方向の右側に位置する第２分割体１７ｂとの二つに分割されており、それら分割された第１分割体１７ａと第２分割体１７ｂとを相対移動可能としている。
【００５５】
第１分割体１７ａと第２分割体１７ｂとは、アクチュエータ２１の押圧力及びコイルスプリング２０の付勢力により、互いに当接した状態を保持しつつスプール１７の軸線方向について一体移動可能となっている。なお、図１１はスプール１７がその移動範囲の端（図中左端）に移動した状態を示しており、図１２はスプール１７が上記移動範囲の上記端とは逆側の端（図中右端）に移動した状態を示している。
【００５６】
スプール内蔵ボルト１０においては、スプール１７の外周面がハウジング１６の内周面と面接触することにより、それら外周面と内周面との間がハウジング１６における第１ポート１８及び第２ポート１９と繋がる部分等を除いてシールされている。そして、スプール１７における第１分割体１７ａと第２分割体１７ｂとの分割は、それらの境界がスプール１７の上記移動範囲での移動時に第１ポート１８と第２ポート１９とのうちボルト部１６ａから遠い方のポート（この例では第２ポート１９）に繋がる部分から外れることのない位置にて行われている。これにより、スプール１７の上記移動範囲での移動時、第１分割体１７ａと第２分割体１７ｂとの分割によってスプール１７の外周面とハウジング１６の内周面との面接触が適切に行われなくなり、そのことに起因してスプール１７の外周面とハウジング１６の内周面との間のシール性が低下することは抑制される。
【００５７】
ここで、スプール内蔵ボルト１０において、ボルト部１６ａのカムシャフト２（図２）の端部へのねじ締結に伴いハウジング１６がカムシャフト２の軸線方向について湾曲すると、同湾曲に対応する分だけスプール１７における第１分割体１７ａと第２分割体１７ｂとが互いに接触しつつ同スプール１７の軸線と直交する方向に相対移動する。こうした相対移動が行われることにより、上記ハウジング１６の軸線方向についての湾曲が、スプール１７に影響を及ぼすこと、より詳しくはスプール１７の軸線方向移動に影響を及ぼすことはなくなる。
【００５８】
本実施形態によれば、第１実施形態の（１）の効果に加え、以下に示す効果が得られるようになる。
（７）可動部材３をカムシャフト２に固定すべくスプール内蔵ボルト１０のボルト部１６ａをカムシャフト２の端部にねじ締結するとき、ハウジング１６がカムシャフト２の軸線方向について湾曲するおそれがある。しかし、こうしたハウジング１６の湾曲が生じるときには、その湾曲に対応する分だけスプール１７における第１分割体１７ａと第２分割体１７ｂとが互いに接触しつつ同スプール１７の軸線と直交する方向に相対移動し、その相対移動を通じて上記ハウジング１６の湾曲がスプール１７に影響を及ぼすことはなくなる。従って、カムシャフト２の端部へボルト部１６ａのねじ締結によりハウジング１６が上記軸線方向について湾曲するとしても、その湾曲がスプール１７に影響を及ぼすことはないため、スプール１７の軸線方向移動に関する動作不良が生じることは抑制されるようになる。
【００５９】
（８）ハウジング１６がカムシャフト２の軸線方向に湾曲するとき、スプール１７においてはボルト部１６ａから離れた位置ほど、上記湾曲によるスプール１７への影響が大きくなりやすい。このことを考慮して、第１分割体１７ａと第２分割体１７ｂとの分割に関しては、それらの境界がハウジング１６における第１ポート１８と第２ポート１９とのうちボルト部１６ａから遠い方のポート（第２ポート１９）に繋がる部分にて行われている。このため、ハウジング１６が上記軸線方向に湾曲するとしても、その湾曲に伴うスプール１７への影響をスプール１７における第１分割体１７ａと第２分割体１７ｂとの上記相対移動によって的確に抑制できる。
【００６０】
（９）また、スプール１７における第１分割体１７ａと第２分割体１７ｂとの分割は、それらの境界がスプール１７の上記移動範囲での移動時にハウジング１６における第２ポート１９に繋がる部分から外れることのない位置にて行われている。このため、スプール１７の上記移動範囲での移動時、第１分割体１７ａと第２分割体１７ｂとの分割によってスプール１７の外周面とハウジング１６の内周面との面接触が適切に行われなくなり、そのことに起因してスプール１７の外周面とハウジング１６の内周面との間のシール性が低下することは抑制される。
【００６１】
［その他の実施形態］
なお、上記各実施形態は、例えば以下のように変更することもできる。
・第４実施形態において、第１分割体１７ａと第２分割体１７ｂとの分割は、それらの境界がスプール１７の上記移動範囲での移動時に第１ポート１８に繋がる部分から外れることのない位置にて行われるようにしてもよい。
【００６２】
・第３実施形態において、オイルシール３２をスプール摺動部１６ｂの内周面におけるよりボルト部１６ａ寄りの位置に設けてもよい。
・第２実施形態において、変形部材３１として銅製ブッシュを例示したが、これに変えてスプリングワッシャを採用してもよい。
【００６３】
・第２実施形態において、スプール摺動部１６ｂの内周面とスプール１７の外周面との間に変形部材を設けてもよい。この場合、孔３ａ，２４ａ，２５ａ，２６ａの中心線とスプール摺動部１６ｂの軸線とがカムシャフト２の軸線Ｌと直交する方向にずれたとしても、そのずれに対応して上記変形部材がスプール摺動部１６ｂ及びスプール１７の径方向に変形する。こうした変形部材の変形を通じて、上記ずれに起因するハウジング１６におけるカムシャフト２の軸線方向についての湾曲が防止され、ひいてはスプール１７を収容したスプール摺動部１６ｂでの上記軸線方向についての湾曲が防止される。
【００６４】
・第１実施形態において、除肉部２２と除肉部２３との一方のみを設けるようにしてもよい。
【符号の説明】
【００６５】
１…バルブタイミング可変機構、２…カムシャフト、３…可動部材、３ａ…孔、４…ケース、５…突部、６…ベーン、７…進角側油圧室、８…遅角側油圧室、９…オイルポンプ、１０…スプール内蔵ボルト、１１…供給通路、１２…オイルパン、１３…排出通路、１４…進角側油路、１５…遅角側油路、１６…ハウジング、１６ａ…ボルト部、１６ｂ…スプール摺動部、１６ｃ…フランジ部、１７…スプール、１７ａ…第１分割体、１７ｂ…第２分割体、１８…第１ポート、１９…第２ポート、２０…コイルスプリング、２１…アクチュエータ、２２，２３…除肉部、２４…フロントブッシュ、２４ａ…孔、２５…リヤブッシュ、２５ａ…孔、２６…支持体、２６ａ…孔、２７…スプロケット、３１…変形部材、３２…オイルシール。
【図２】
0005464040.tif 000002
【図９】
0005464040.tif 000003
【図１０】
0005464040.tif 000004
【図１１】
0005464040.tif 000005
【図１２】
0005464040.tif 000006
【図１】
0005464040.tif 000007
【図３】
0005464040.tif 000008
【図４】
0005464040.tif 000009
【図５】
0005464040.tif 000010
【図６】
0005464040.tif 000011
【図７】
0005464040.tif 000012
【図８】
0005464040.tif 000013